【事件の表示】
　特願２０１６−　８４１５０「座金付き螺子類」拒絶査定不服審判事件〔平成２９年１０月２６日出願公開、特開２０１７−１９４１０４、請求項の数（６）〕について、次のとおり審決する。
【結　論】
　原査定を取り消す。
　本願の発明は、特許すべきものとする。
【理　由】
第１　手続の経緯
　本願は、平成２８年４月２０日の出願であって、その手続の経緯は、概略、次のとおりである。
・平成３０年９月１３日付け　拒絶理由通知
・平成３０年１１月２６日　　意見書及び手続補正書の提出
・平成３１年１月１８日付け　拒絶理由通知
・平成３１年４月１日　　　　意見書及び手続補正書の提出
・令和元年５月２３日付け　　拒絶査定
・令和元年８月２８日　　　　審判請求書及び手続補正書の提出
第２　原査定の概要
　原査定（令和元年５月２３日付け拒絶査定）の概要は、次のとおりである
１．本願は、その請求項１−３に「ボルト、ナット等の螺子類」との記載があるが、「ボルト、ナット等」の記載からは「ボルト、ナット」の他にどのような構成を含むのかが不明確であるから、当該請求項１−３及びそれら請求項を引用する請求項４−７は明確でなく、よって、特許法第３６条第６項第２号に規定する要件を満たしていない。
２．本願の請求項１−４に係る発明は、引用文献１に記載された発明に基いて、また請求項５−７に係る発明は、引用文献１に記載された発明及び引用文献２に記載された発明に基いて、それぞれ、その発明の属する技術の分野における通常の知識を有する者（以下、「当業者」という。）が容易に発明をすることができたものであるから、特許法第２９条第２項の規定により特許を受けることができない。
　引用文献１：特表２００７−５０４４０９号公報
　引用文献２：特開２０１５−４８８７５号公報
第３　本願発明
　本願の請求項１−６に係る発明（以下、それぞれ「本願発明１」−「本願発明６」という。）は、令和元年８月２８日提出の手続補正書による手続補正で補正された特許請求の範囲の請求項１−６に記載された事項により特定される発明であり、以下のとおりの発明である。
「【請求項１】
　ボルト、ナット等の螺子類の頭部裏面側に、二枚の座金が上下に重ねられて抜け落ちないようにセットされた座金付き螺子類であり、
　螺子類の頭部裏面が平面状であり、
　二枚の座金のうち上座金はその表面に上座金表面突起（４）があり、裏面に上座金裏面連続凸条（１６）があり、前記上座金表面突起（４）は座金表面の周方向一箇所又は数箇所に一個が独立して突出しており、螺子類の締め付けにより螺子類の頭部裏面に食い込み又は圧接可能であり、前記上座金裏面連続凸条（１６）は山と谷が座金裏面の周方向に交互に繰り返し連続する山形又は波形であり、螺子類の締め付け方向手前側に谷から山に向けて上りになる上り斜面があり、同締め付け方向先方側に山から谷に向けて下りになる下り斜面の係止面があり、
　二枚の座金のうち下座金はその表面に下座金表面突起（４）があり、この下座金表面突起（４）は下座金表面の周方向一箇所又は数箇所に一個が独立して突出しており、この一個の下座金表面突起（４）は螺子類の締め付けにより、上座金の上座金裏面連続凸条（１６）のいずれかの連続凸条間の隣接凹部（１７）に嵌合して係止可能な突起である、
　ことを特徴とする座金付き螺子類。
【請求項２】
　ボルト、ナット等の螺子類の頭部裏面側に、二枚の座金が上下に重ねられて抜け落ちないようにセットされた座金付き螺子類であり、
　螺子類の頭部裏面が平面状であり、
　二枚の座金のうち上座金はその表面に上座金表面突起（４）があり、裏面に上座金裏面突起（５）があり、前記上座金表面突起（４）は座金表面の周方向一箇所又は数箇所に一個が独立して突出しており、螺子類の締め付けにより螺子類の頭部裏面に食い込み又は圧接可能であり、前記上座金裏面突起（５）も座金裏面の周方向一箇所又は数箇所に一個が独立して突出しており、
　二枚の座金のうち下座金はその表面に下座金表面連続凸条（１２）があり、この下座金表面連続凸条（１２）は山と谷が座金表面の周方向に交互に繰り返し連続する山形又は波形であり、螺子類の締め付け方向手前側に谷から山に向けて上りになる上り斜面があり、同締め付け方向先方側に山から谷に向けて下り斜面になる係止面があり、螺子類の締め付けにより、いずれかの連続凸条間の隣接凹部（１３）に上座金の前記一個の独立している上座金裏面突起（５）が嵌合して係止可能である、
　ことを特徴とする座金付き螺子類。
【請求項３】
　請求項１又は請求項２記載の座金付き螺子類において、
　二枚の座金のうち下座金の裏面に下座金裏面突起（５）があり、その下座金裏面突起（５）は裏面周方向一箇所又は数箇所に一個が独立して突出しており、螺子類の締め付けにより、被連結体（Ａ）に食い込み又は圧接可能な突起である、
　ことを特徴とする座金付き螺子類。
【請求項４】
　請求項１から請求項３のいずれか１項に記載の座金付き螺子類において、
　連続凸条（１６又は１２）の稜線部が平面状又は円弧状である、
　ことを特徴とする座金付き螺子類。
【請求項５】
　請求項１から請求項３のいずれか１項に記載の座金付き螺子類において、
　連続凸条（１６又は１２）の山と谷が端面視略半円の円弧状であって同じ又は略同じ形状の繰り返しである、
　ことを特徴とする座金付き螺子類。
【請求項６】
　請求項１から請求項５のいずれか１項に記載の座金付き螺子類において、
　座金の周方向一箇所又は数箇所に一個が独立して突出した波形の下座金表面突起（４）又は上座金裏面突起（５）は、その波形が端面視略半円の円弧状であって、螺子類の締め付け方向への回転により、いずれかの連続凸条間の嵌合凹部（１３又は１７）と嵌合し、逆方向の回転では前記嵌合が緩みにくくなる波形である、
　ことを特徴とする座金付き螺子類。」
第４　引用文献の記載事項及び引用発明
１．引用文献１の記載事項及び引用発明
　原査定の拒絶の理由に引用された引用文献１には、図面とともに次の事項が記載されている（下線は当審にて付加した。以下同様。）。
ア．「【０００１】
　本発明は、
意図しないねじり取り外しに抗しての、ねじとナットのような、ねじ要素をロックするためのロック要素であって
このロック要素が、環状孔を有する、
少なくとも２つの積み重なっているリング状のロックワッシャから成り
これら積み重なっている面がくさび状面を有し、且つ、外側面にそれぞれに有歯部が設けられている
イ．「【００１５】
　図１は、
上側のワッシャ１および下側のワッシャ２から成る
ロック要素
このロック要素を通って
ねじ要素１０が差し通されている
ねじ頭部１２
このねじ要素１０を固く締める場合、有歯部５が、このねじ頭部１２内へと
刻み込まれ
ねじを緩める際に
くさび状面７の滑動を相互に生じさせ
ワッシャ対体の厚さの増加が、ねじ山ピッチに基づく使用可能な道程よりも大きく
このロック性は、ねじ結合のねじり取り外しに対して極めて有効である
【００１６】
　図２は、有歯部５、並びに本発明による丸み部６または切欠き部２４（図５ａ、およびｄを参照）を有する、一方のワッシャの外側面３の上面図を示している。この本発明による丸み部６、または切欠き部は、ねじ頭部１２へのねじシャフト１３の移行部内への、環状孔１４のエッジ部、または面取り部の食い込みを防止し、且つ、これに伴って狭小な案内を、および従って、これらワッシャの良好な調心を可能にする。
【００１７】
　
図３は、くさび状面７およびこのくさび状面７の鋸歯状の稜線８を有する、一方のワッシャの内側面４の上面図を示している
ウ．「【００２０】
　
図７および図８は、ロックワッシャ対体のくさび状面７の上面図
図７内において図示された上側のワッシャ１のくさび輪郭は、図８内において図示された下側のワッシャ２の幾何学的なネガである
【００２１】
　図９から１２までは、概略的に（且つ真っ直ぐに伸ばされた状態で）、くさび状面の鋸歯状の稜線８更に別の実施形態を図示している。種々の鋸歯状の稜線形状の目的は、一方では、比較的に良好な圧力分配のためのこれら鋸歯状の稜線の延長にあり、並びに、相互の回転の際に行なわれるワッシャの自己調心にある。」
エ．【図１】からは、ねじ要素１０のねじ頭部１２裏面が平面状であることが看取される。
オ．【図１】及び【図３】からは、上側のワッシャ１裏面のくさび状面７が、山と谷がワッシャ１裏面の周方向に交互に繰り返し連続する山形であり、ねじ要素１０の締め付け方向手前側に山から谷に向けて下りになる下り斜面があり、同締め付け方向先方側に谷から山に向けて上りになる切り立った上り面の係止面があり、下側のワッシャ２はその表面にくさび状面７があり、このくさび状面７はねじ要素１０の締め付けにより、上側のワッシャ１のくさび状面７に嵌合して係止可能であることが看取される。また、下側のワッシャ２表面のくさび状面７は、山と谷がワッシャ２表面の周方向に交互に繰り返し連続する山形であり、ねじ要素１０の締め付け方向手前側に山から谷に向けて下りになる下り斜面があり、同締め付け方向先方側に谷から山に向けて上りになる切り立った上り面の係止面があり、ねじ要素１０の締め付けにより、上側のワッシャ１のくさび状面７が嵌合して係止可能であることも看取される。
　よって、当該引用文献１には次の発明（以下、「引用発明１」という。）が記載されていると認められる。
「ねじ要素１０のねじ頭部１２裏面側に、上側のワッシャ１及び下側のワッシャ２が上下に重ねられたねじ要素１０であり、
　ねじ要素１０のねじ頭部１２裏面が平面状であり、
　上側のワッシャ１及び下側のワッシャ２のうち上側のワッシャ１はその表面に有歯部５があり、裏面にくさび状面７があり、前記有歯部５は、ねじ要素１０の締め付けによりねじ要素１０のねじ頭部１２裏面に刻み込まれ、前記くさび状面７は山と谷がワッシャ１裏面の周方向に交互に繰り返し連続する山形であり、ねじ要素１０の締め付け方向手前側に山から谷に向けて下りになる下り斜面があり、同締め付け方向先方側に谷から山に向けて上りになる切り立った上り面の係止面があり、
　上側のワッシャ１及び下側のワッシャ２のうち下側のワッシャ２はその表面にくさび状面７があり、このくさび状面７はねじ要素１０の締め付けにより、上側のワッシャ１のくさび状面７に嵌合して係止可能である、
　ねじ要素１０。」
　また、当該引用文献１には次の発明（以下、「引用発明２」という。）も記載されていると認められる。
「ねじ要素１０のねじ頭部１２裏面側に、上側のワッシャ１及び下側のワッシャ２が上下に重ねられたねじ要素１０であり、
　ねじ要素１０のねじ頭部１２裏面が平面状であり、
　上側のワッシャ１及び下側のワッシャ２のうち上側のワッシャ１はその表面に有歯部５があり、裏面にくさび状面７があり、前記有歯部５は、ねじ要素１０の締め付けによりねじ要素１０のねじ頭部１２裏面に刻み込まれ、
　上側のワッシャ１及び下側のワッシャ２のうち下側のワッシャ２はその表面にくさび状面７があり、このくさび状面７は山と谷がワッシャ２表面の周方向に交互に繰り返し連続する山形であり、ねじ要素１０の締め付け方向手前側に山から谷に向けて下りになる下り斜面があり、同締め付け方向先方側に谷から山に向けて上りになる切り立った上り面の係止面があり、ねじ要素１０の締め付けにより、上側のワッシャ１のくさび状面７が嵌合して係止可能である、
　ねじ要素１０。」
２．引用文献２の記載事項
　原査定の拒絶の理由に引用された引用文献２には、図面とともに次の事項が記載されている。
ア．「【００２８】
　図１には、第一実施形態に係るねじ体の逆回転防止構造が示されている。図３の通り、ねじ体の逆回転防止構造では、
雄ねじ体１０
環状のワッシャ５０
【００２９】
　
雄ねじ体１０は
頭部２０
を有する
イ．「【００４４】
  図３に示されるように、第一係合機構Ａとして、
ワッシャ５０の第一受部６０には、ねじ体側凹凸２４と係合する第一受部側凹凸６４が形成される
第一受部側凹凸６４は、周方向に複数連続して設けられる鋸刃形状となっている
ウ．「【００５５】
　また、図４（Ａ）〜（Ｃ）の応用として、図４（Ｄ）に示されるように、
峯と谷を湾曲させた波型の凹凸も好ましい
締結時に滑らかな操作性を得ることができる
３．拒絶理由通知で引用された特開平６−３４１４２０号公報の記載事項
　平成３０年９月１３日付けの拒絶理由通知及び平成３１年１月１８日付けの拒絶理由通知で引用された特開平６−３４１４２０号公報（以下、「引用文献３」という。）には、図面とともに次の事項が記載されている。
ア．「【０００１】
【産業上の利用分野】本発明はボルト、ナット、鋲等のねじ部材の締付け後の緩みを防止できるようにしたねじの緩み止装置に関するものである。
【０００２】
【従来の技術】
ねじの緩み止装置として従来
【０００３】これらのうち考案１は図９（ａ）の様に、考案２は図１０（ａ）の様に、夫々
ねじ部材Ａ
頭部Ｂの裏面Ｃに
鋸歯状の頭部突起Ｅ
座金Ｄの表面に
鋸歯状の座金突起Ｆ
イ．「【０００６】
【発明が解決しようとする課題】前記考案１、２の緩み止め装置では、ねじ部材Ａの頭部Ｂの裏面Ｃにねじの締め付け時の回転方向に向って上り勾配の斜面とした鋸歯状の頭部突起Ｅが形成され、座金Ｄの表面に前記頭部突起Ｅと噛み合う鋸歯状の座金突起Ｆが形成されているので、一旦両者を締め付ければ両突起Ｅ、Ｆの垂直面が相互に噛み合ってねじ部材Ａの緩みが防止されるが、
ねじ部材Ａの頭部Ｂと座金Ｄとの夫々に複雑な形状の突起を多数形成しなければならないので製造コストが高くなってしまうという問題
ねじ部材Ａを
取外す場合
両突起Ｅ、Ｆが破損することがあり
【０００７】本発明の目的は、構造が簡単で且つ組立も容易で、更には製造コストの安いねじの緩み止装置を提供することにある。
【０００８】
【課題を解決するための手段】本発明のうち請求項１のねじの緩み止装置は図１〜５に示されるように、
ボルト、ナット等のねじ部材１
頭部２の裏面
頭部突起４
座金３の表面
座金突起５
座金３の裏面
食込み突起６
座金突起５が
数個の頭部突起４に対して１個の割合で突設
ウ．「【００１５】
【作用】本発明のうち請求項１のねじの緩み止装置では、座金突起５が頭部突起４より鈍角な山形に形成されているため、ねじ部材１の頭部２を回転させて
ねじ部材１を
締め付けていくと
座金突起５の先端が隣り合う２つの頭部突起４間の谷間に係止
座金突起５と頭部突起４とによる摩擦抵抗があまり大きくならず締付けが楽
エ．「【００２３】
【実施例１】
図１〜３
金属製のねじ部材１の頭部２の裏面側には金属製の座金３が取付けられている
この座金３は
ねじ素材杆２０から抜けない様にし
【００２４】前
記ねじ部材１の頭部２の裏面には
円周方向に沿って山形の頭部突起４が連続して突設
【００２５】
前記座金３の表面には
円周方向に沿って
山形の座金突起５が均等な間隔（１２０度毎に）を空けて３つ突設
オ．「【００２７】
【実施例２】
図４
ねじ部材１がナットの場合
第５　対比・判断
１．本願発明１について
（１）対比
　本願発明１と引用発明１とを対比すると、次のことがいえる。
　引用発明１における「ねじ要素１０」、「ねじ頭部１２」、「上側のワッシャ１」、及び「下側のワッシャ２」は、それぞれ、本願発明１における「ボルト、ナット等の螺子類」、「頭部」、「上座金」、及び「下座金」に相当する。
　引用発明１において有歯部５が「ねじ要素１０の締め付けによりねじ要素１０のねじ頭部１２裏面に刻み込まれ」ることは、本願発明１において上座金表面突起（４）が「螺子類の締め付けにより螺子類の頭部裏面に食い込み又は圧接可能」であることに相当する。
　引用発明１の「上側のワッシャ１裏面のくさび状面７」は、「山と谷がワッシャ１裏面の周方向に交互に繰り返し連続する山形」であるから、本願発明１の「上座金裏面連続凸条（１６）」と、「山と谷が座金裏面の周方向に交互に繰り返し連続する山形又は波形」である限りにおいて一致する。
　引用発明１の「下側のワッシャ２表面のくさび状面７」は、「ねじ要素１０の締め付けにより、上側のワッシャ１のくさび状面７に嵌合して係止可能」であるから、本願発明１の「下座金表面突起（４）」と、「螺子類の締め付けにより、上座金の」「裏面」「に嵌合して係止可能」である限りにおいて一致する。
　そうすると、本願発明１と引用発明１との間には、次の一致点１、並びに、相違点１ないし４があるといえる。
＜一致点１＞
「ボルト、ナット等の螺子類の頭部裏面側に、二枚の座金が上下に重ねられた螺子類であり、
　螺子類の頭部裏面が平面状であり、
　二枚の座金のうち上座金はその表面が螺子類の締め付けにより螺子類の頭部裏面に食い込み又は圧接可能であり、その裏面は山と谷が上座金裏面の周方向に交互に繰り返し連続する山形又は波形であり、
　二枚の座金のうち下座金はその表面が螺子類の締め付けにより、上座金の裏面に嵌合して係止可能である、
　螺子類。」
＜相違点１＞
　本願発明１において、「螺子類」は「二枚の座金が上下に重ねられて抜け落ちないようにセットされた座金付き螺子類」であるのに対して、引用発明１における「ねじ要素１０」は、上下に重ねられた上側のワッシャ１及び下側のワッシャ２が抜け落ちないようにセットされた座金付きねじ要素１０であるかどうか、不明である点。
＜相違点２＞
　本願発明１において、上座金の表面の「上座金表面突起（４）」は、「座金表面の周方向一箇所又は数箇所に一個が独立して突出」したものであるのに対して、引用発明１における上側のワッシャ１の表面の「有歯部５」は、そのような構成を有さない点。
＜相違点３＞
　本願発明１において、上座金の裏面の「上座金裏面連続凸条（１６）」は、「螺子類の締め付け方向手前側に谷から山に向けて上りになる上り斜面があり、同締め付け方向先方側に山から谷に向けて下りになる下り斜面の係止面」があるものであるのに対して、引用発明１では、上側のワッシャ１の裏面の「くさび状面７」は、「ねじ要素１０の締め付け方向手前側に山から谷に向けて下りになる下り斜面があり、同締め付け方向先方側に谷から山に向けて上りになる切り立った上り面の係止面」があるものである点。
＜相違点４＞
　本願発明１において、下座金の表面の下座金表面突起（４）は、「下座金表面の周方向一箇所又は数箇所に一個が独立して突出しており、この一個の下座金表面突起（４）は螺子類の締め付けにより、上座金の上座金裏面連続凸条（１６）のいずれかの連続凸条間の隣接凹部（１７）に嵌合して係止可能な突起である」のに対して、引用発明１では、下側のワッシャ２の表面に形成されているのは「くさび状面７」であって、そのくさび状面７は、ねじ要素１０の締め付けにより、上側のワッシャ１のくさび状面７に嵌合して係止可能であるものの、下側のワッシャ２表面の周方向一箇所又は数箇所に一個が独立して突出したものではない点。
（２）相違点についての判断
　事案にかんがみて、相違点４について検討する。
　螺子類とともに用いられる二枚の座金に関し、それら座金の間の嵌合が、一方の座金表面の周方向一箇所又は数箇所に一個が独立して突出した突起と、他方の座金の連続凸条におけるいずれかの連続凸条間の隣接凹部との間でなされるよう構成する点は、引用文献２及び３のいずれにも記載されていない。
　もっとも、引用文献３には、上記第４の３．にて摘記したとおり、ボルト、ナット等のねじ部材１と、その頭部２の裏面側にねじ部材１から抜けないように配置される座金３に関し、頭部２の裏面の円周方向に沿って頭部突起４を突設し、座金３の表面の円周方向に沿って頭部突起４と噛み合い可能な座金突起５を数個の頭部突起４に対して１個の割合で突設し、もって、ねじ部材１を締付け対象物１５に締め付けていくと、座金突起５の先端が隣り合う２つの頭部突起４間の谷間に係止されるようにした構成が、記載されている。
　そこで、引用発明１に引用文献３に記載された事項を適用して、引用発明１において下側のワッシャ２の表面に形成されている「くさび状面７」に代えて、引用文献３における座金突起５のごとき突起を採用すること、すなわち、下側のワッシャ２表面の「周方向一箇所又は数箇所に一個が独立して突出」した突起を採用することが、当業者にとり容易想到であったか否かについて、進んで検討する。
　引用発明１は、上側のワッシャ１裏面の「くさび状面７」と下側のワッシャ２表面の「くさび状面７」とが、ねじ要素１０の締め付けにより嵌合する構成を有し、それによって、「ねじを緩める際に」、「くさび状面７の滑動を相互に生じ」、「ねじ結合のねじり取り外しに対して極めて有効」な「ロック性」を発生させるものである（第４の１．イで摘記した段落【００１５】）。このように、引用発明１は、上下のワッシャを「くさび状面７」同士の嵌合により結合させ、それにより「ロック性」の作用効果を発揮するものであるといえる。
　そうすると、かかる引用発明１において、上下のワッシャの、対となっている「くさび状面７」の一方を、引用文献３における座金突起５のごとき、「周方向一箇所又は数箇所に一個が独立して突出」した突起に変更する動機付けはなく、かえって、そのような変更を行うことには、上記の作用効果に係る記載事項に照らすに、阻害要因が存在するといわなければならない。加えるに、こうした阻害要因の存在は、「くさび状面７」に関する、「図７内において図示された上側のワッシャ１のくさび輪郭は、図８内において図示された下側のワッシャ２の幾何学的なネガである。」（第４の１．ウで摘記した段落【００２０】）との記載からもうかがえるところである。
　さらに、本願発明１の効果についてみてみると、二枚の座金間の嵌合を、座金の一方に設けた「周方向一箇所又は数箇所に一個が独立して突出」した「突起」と、座金の他方に設けた「連続凸条（１６）」の「いずれかの連続凸条間の隣接凹部（１７）」との嵌合により行う、相違点４に係る本願発明１の構成を有することで、本願発明１は、精密な寸法精度を要さずに座金間の嵌合を行うことが可能である、突起が使用時に欠損しにくい、といった効果を奏しうるものと認められる。
　以上の検討より、相違点４に係る本願発明１の構成について、容易想到性は認められない。
　したがって、上記相違点１ないし３について判断するまでもなく、本願発明１は、当業者であっても、引用発明１並びに引用文献２及び３に記載された技術的事項に基いて容易に発明することができたものであるとはいえない。
２．本願発明２について
（１）対比
　本願発明２と引用発明２とを対比すると、上記１．（１）にて説示した本願発明１と引用発明１との対比と同様の検討により、本願発明２と引用発明２には、次の一致点２、並びに、相違点５ないし８があるといえる。
＜一致点２＞
「ボルト、ナット等の螺子類の頭部裏面側に、二枚の座金が上下に重ねられた螺子類であり、
　螺子類の頭部裏面が平面状であり、
　二枚の座金のうち上座金はその表面が螺子類の締め付けにより螺子類の頭部裏面に食い込み又は圧接可能であり、
　二枚の座金のうち下座金はその表面が山と谷が下座金表面の周方向に交互に繰り返し連続する山形又は波形であり、螺子類の締め付けにより、上座金の裏面が嵌合して係止可能である、
　螺子類。」
＜相違点５＞
　本願発明２において、「螺子類」は「二枚の座金が上下に重ねられて抜け落ちないようにセットされた座金付き螺子類」であるのに対して、引用発明２における「ねじ要素１０」は、上下に重ねられた上側のワッシャ１及び下側のワッシャ２が抜け落ちないようにセットされた座金付きねじ要素１０であるかどうか、不明である点。
＜相違点６＞
　本願発明２において、上座金の表面の「上座金表面突起（４）」は、「座金表面の周方向一箇所又は数箇所に一個が独立して突出」したものであるのに対して、引用発明２における上側のワッシャ１の表面の「有歯部５」は、そのような構成を有さない点。
＜相違点７＞
　本願発明２において、下座金の表面の「下座金表面連続凸条（１２）」は、「螺子類の締め付け方向手前側に谷から山に向けて上りになる上り斜面があり、同締め付け方向先方側に山から谷に向けて下り斜面になる係止面」があるものであるのに対して、引用発明２では、下側のワッシャ２の表面の「くさび状面７」は、「ねじ要素１０の締め付け方向手前側に山から谷に向けて下りになる下り斜面があり、同締め付け方向先方側に谷から山に向けて上りになる切り立った上り面の係止面」があるものである点。
＜相違点８＞
　本願発明２において、上座金の裏面の上座金裏面突起（５）は「座金裏面の周方向一箇所又は数箇所に一個が独立して突出」したものであり、下座金の表面の下座金表面連続凸条（１２）は、「螺子類の締め付けにより、いずれかの連続凸条間の隣接凹部（１３）に上座金の前記一個の独立している上座金裏面突起（５）が嵌合して係止可能である」のに対して、引用発明２では、上側のワッシャ１の裏面に形成されているのは「くさび状面７」であって、そのくさび状面７は、ねじ要素１０の締め付けにより、下側のワッシャ２のくさび状面７に嵌合して係止可能であるものの、上側のワッシャ１裏面の周方向一箇所又は数箇所に一個が独立して突出したものではない点。
（２）相違点についての判断
　事案にかんがみて、相違点８について検討する。
　相違点８に係る本願発明２の構成は、上記１．（１）に記載した相違点４に係る本願発明１の構成と同じく、螺子類とともに用いられる二枚の座金に関し、それら座金の間の嵌合が、一方の座金表面の周方向一箇所又は数箇所に一個が独立して突出した突起と、他方の座金の連続凸条におけるいずれかの連続凸条間の隣接凹部との間でなされるようにした構成である。
　かかる座金間の嵌合の構成は、上記１．（２）にて検討したとおり、引用文献２及び３のいずれにも記載されておらず、また、容易想到性も認められないものである。
　したがって、上記相違点５ないし７について判断するまでもなく、本願発明２は、当業者であっても、引用発明１並びに引用文献２及び３に記載された技術的事項に基いて容易に発明することができたものであるとはいえない。
３．本願発明３−６について
　本願発明３−６は、本願発明１または本願発明２の発明特定事項をすべて備え、さらに限定を加えた発明であるから、上記１．及び２．での検討より、当業者であっても、引用発明１並びに引用文献２及び３に記載された技術的事項に基いて容易に発明することができたものであるとはいえない。
第６　原査定について
１．理由１（特許法第３６条第６項第２号）について
　本願の請求項１及び２における「ボルト、ナット等の螺子類」との記載に関し、本願の明細書に、「本発明における螺子類には鋲、ビス、その他の螺子類も含まれる。」（段落【００４６】）との記載がなされていることに照らせば、「『ボルト、ナット等』の記載からは『ボルト、ナット』の他にどのような構成を含むのかが不明確」（原査定における理由１）であるとはいえない。
　したがって、原査定の理由１を維持することはできない。
２．理由２（特許法第２９条第２項）について
　審判請求時の手続補正（令和元年８月２８日提出の手続補正書による手続補正）で補正された特許請求の範囲の請求項１−６に記載された事項により特定される発明である、本願発明１−６は、上記相違点４に係る本願発明１の構成、または、上記相違点８に係る本願発明２の構成を発明特定事項として有するところ、上記第５にて検討したとおり、当業者であっても、拒絶査定において引用された引用文献１及び２に基いて容易に発明することができたものとはいえず、さらに平成３０年９月１３日付けの拒絶理由通知及び平成３１年１月１８日付けの拒絶理由通知で引用された引用文献３を併せて考慮しても、容易に発明することができたものということはできない。
　したがって、原査定の理由２を維持することはできない。
第７　むすび
　以上のとおり、原査定の理由によっては、本願を拒絶することはできない。
　また、他に本願を拒絶すべき理由を発見しない。
　よって、結論のとおり審決する。